(57)【要約】      （修正有）【課題】一種の水を細分化させ空気中の酸素とナノクラスまでに十分混合する治療浴装置の提供。【解決手段】この加圧装置は加圧管と貯蔵装置に接続され、貯蔵装置は戻り管と出水管をそれぞれに設け、この戻り管の一端は進水管と接続し、かつ、戻り管上に空気導入口と気泡混合管を設け、使用のとき、加圧装置に流入された水を加圧して加圧管を介して貯蔵装置に搬送させ、一方、貯蔵装置に流入した水は戻り管を通じて気泡混合管に流入し、空気導入口より流入した空気と混合しベンチュリー効果を引き起しミルク形状のような気泡を形成した上、水から滝より微細な水分子及びマイナスイオン酸素を分裂させ、利用者の肌より体中に進入し、大量な酸素を全身の微血管と末端神経に送り込んで、遊離基 (free radical) の中和を加速させることにより、体質を改善し、老化を防止する。【選択図】図１
0003110480.tif 000002
【実用新案登録請求の範囲】
【請求項１】
加圧装置と、
前記加圧装置に取り付け、水を加圧装置に流れ込ませる進水管と、
前記加圧装置に取り付け、加圧された水を貯蔵装置に搬送させる加圧管と、
前記加圧管に接続される貯蔵装置と、
前記貯蔵装置に取り付ける出水管と、
前記貯蔵装置に取り付け、取り付ける高さは前記出水管の取り付け位置より低く、一端は前記進水管に接続され、空気導入口と気泡混合管をそれぞれ具備する戻り管と、からなり、
前記加圧装置の加圧効果により、流れ込んだ水を加圧させ、前記加圧管を介して前記貯蔵装置に搬送させ、
前記貯蔵装置に流れ込んだ水は前記戻り管に流れ込むと同時に空気は前記空気導入口より前記気泡混合管に流れ込んで水流と併せてベンチュリー効果を引き起し、
空気は水と充分に混合した後、再び前記進水管を介して前記加圧装置に搬送され、
前記加圧装置によって再び加圧した後、ミルク形状のような気泡を形成することで、水分子及びマイナスイオン酸素を分裂させ、
前記貯蔵装置の水と混合した後、前記出水管によって排出させることを特徴とする、
治療浴装置。
【請求項２】
加圧装置に一つの密閉式の加圧シリンダーを設け、前記加圧シリンダーは進水管と加圧管とそれぞれに接続させ、かつ、前記加圧シリンダー内部に加圧モータを具備することを特徴とする、請求項１に記載の治療浴装置。
【請求項３】
進水管と出水管とも同じ容器に接続することにより、水を繰り返し利用できることを特徴とする、請求項１に記載の治療浴装置。
【請求項４】
貯蔵装置の圧力を測定するために、一つの圧力ゲージを設けることを特徴とする請求項１記載の治療浴装置。
【請求項５】
貯蔵装置に液面センサーを設置することを特徴とする、請求項１に記載の治療浴装置。
【請求項６】
戻り管と気泡混合管との接続部の先端に一つのバルブを設けて、気泡混合管に流れ込む水の流量を制御することを特徴とする、請求項１に記載の治療浴装置。
【考案の詳細な説明】
【技術分野】
【０００１】
本考案は治療浴装置に関わるもので、加圧装置を備えた装置である。
【０００２】
本考案は、特にスパーに広く使用される。水から滝より微細な水分子及びマイナスイオン酸素を分裂し、利用者の肌を深呼吸させ、大量な酸素を全身の微血管と末端神経に送り込んで、遊離基の中和を加速させることにより、体質を改善し、老化を防止する装置である。
【背景技術】
【０００３】
実験の結果によると、通常、人間は大気中の酸素含有量（濃度約２１％）において行動することができる。ただし、酸素濃度が１７％に低下すると筋肉の機能も下がり、すなわち酸欠症状態になる。そして、酸素濃度は１０〜１４％に引き下げたとき、人間は意識あるものの、判断力の間違いを引き起こす。また、本人は自覚していない中に、酸素濃度は６〜８％のときは呼吸が停止し、そして６〜８分以内に窒息死する。
【０００４】
ノーベル賞医学賞の受賞者ドクター・ワイバーガーは、癌細胞と正常な細胞との最も大きな違いは、正常な細胞は充分な酸素によって生きる。これに対して、癌細胞は酸素嫌忌細胞という特性を有し、酸素不足や血中の酸素濃度が過度に低いか又は遊離基濃度が極めて高いときにのみ、分裂と拡散を行う。さらに心臓部の血液は、常に十分な状態のため、心臓は癌に犯されることは極めてまれである。
ただし、喫煙者の肺臓又は毒素によって汚染された肝臓の血中酸素の飽和度が低いため、発癌率が大きくなるという研究結果が発表された。
【０００５】
体の酸素含有量を増加させる方法の一つ目は、深呼吸を行う。空気を吸入するときには、口を閉じたままにし、新鮮な空気を鼻腔より進入させる。そして、空気を排出するときには、口は笛を吹くような丸い形状にして、できるだけ長く、均一、緩やかに吐き出す。また、空気を吸入するときは、横隔膜を降下させ下腹部は少し出っ張り、肺葉の容量を拡大させ、横膈膜筋肉が肝臓をマッサージし胃腸のぜん動を促す。空気を排出するときは、横膈膜を上昇させ、下腹部内側に引き込み、横隔膜肺部の汚れ空気を吐き出す。この腹部呼吸法を採用することによって、対内に流入する空気量は一般の呼吸法に比べて３倍となり、人間の肺活量を促進し、体内酸素含有量を大幅に増加させ、全身の血液循環を体中にに流れて、熱エネルギーの完璧な利用を実現する。
【０００６】
方法の二つ目は、皮膚に深呼吸させることである。皮膚の呼吸は酸素をより直接的、より速やかに、微血管を介して体の各器官に送ることができる。
皮膚の呼吸量をどのように引き上げるかについては、通常、超音波発振器を利用し、水槽にある水を細かい水分子に分裂させ、その水分子を外部の空気と混合した後、利用者に使用させる。
【考案の開示】
【考案が解決しようとする課題】
【０００７】
しかし、超音波発振器は一般の利用者に届きにくい高価なものであることと、成細小分子超音波発振器は水槽表面の水を細かい水分子に分解することはできても、すべての水を細かい水分子に分解することができない。その結果、水と空気を十分に接触できないため、酸素溶存効果も良くない。
【０００８】
考案人は前述装置の問題点について、合理的な改善方法を模索し続け、分析、設計を重ねた結果、この治療浴装置を考案した次第である。
【０００９】
本考案の目的は、一種の水を細分化させ空気中の酸素とナノクラスまでに十分混合する治療浴装置の提供を図る。この装置上に加圧装置を設け、加圧装置上に進水管と加圧管をそれぞれに取り付ける。その進水管は加圧管に接続させ、その加圧管は貯蔵装置と接続させる。この貯蔵装置は戻り管及び出水管をそれぞれに設ける。かつ、この出水管の高さは戻り管より高く、戻り管のもう一端は進水管と接続させる。さらに、この戻り管に空気導入口及び気泡混合管を取り付けておき、使用するときに、容器中の水は加圧装置の加圧効果を利用し、加圧管から貯蔵装置に搬送させる。一方、貯蔵装置に流入された水は戻り管に流れて、戻り管に進入すると同時に、空気は空気導入口を経由して気泡混合管に流れ込み、搬送された水とベンチュリー効果を引き起し、空気と水を充分に混合させた後、進水管を介して加圧装置に流れ込み、加圧装置にて再び加圧し、ミルク形状のような気泡を形成して、水から滝より微細な水分子及びマイナスイオン酸素を分裂させ、貯蔵装置に蓄えた水と混合した後、出水管を介して容器に流れ込む。そこで、利用者は使用するときに、肌より体中に浸透し、大量な酸素を全身の微血管と末端神経に送り込み、遊離基の中和を加速させることにより、体質を改善し、老化を防止する。
【課題を解決するための手段】
【００１０】
本考案の第１考案は、加圧装置と、前記加圧装置に取り付け、水を加圧装置に流れ込ませる進水管と、前記加圧装置に取り付け、加圧された水を貯蔵装置に搬送させる加圧管と、前記加圧管に接続される貯蔵装置と、前記貯蔵装置に取り付ける出水管と、前記貯蔵装置に取り付け、取り付ける高さは前記出水管の取り付け位置より低く、一端は前記進水管に接続され、空気導入口と気泡混合管をそれぞれ具備する戻り管と、からなり、前記加圧装置の加圧効果により、流れ込んだ水を加圧させ、前記加圧管を介して前記貯蔵装置に搬送させ、前記貯蔵装置に流れ込んだ水は前記戻り管に流れ込むと同時に空気は前記空気導入口より前記気泡混合管に流れ込んで水流と併せてベンチュリー効果を引き起し、空気は水と充分に混合した後、再び前記進水管を介して前記加圧装置に搬送され、前記加圧装置によって再び加圧した後、ミルク形状のような気泡を形成することで、水分子及びマイナスイオン酸素を分裂させ、前記貯蔵装置の水と混合した後、前記出水管によって排出させることを特徴とする、治療浴装置である。
【００１１】
本考案の第２考案は、加圧装置に一つの密閉式の加圧シリンダーを設け、前記加圧シリンダーは進水管と加圧管とそれぞれに接続させ、かつ、前記加圧シリンダー内部に加圧モータを具備することを特徴とする、第１考案に記載の治療浴装置である。
【００１２】
本考案の第３考案は、進水管と出水管とも同じ容器に接続することにより、水を繰り返し利用できることを特徴とする、第１考案に記載の治療浴装置である。
【００１３】
本考案の第４考案は、貯蔵装置の圧力を測定するために、一つの圧力ゲージを設けることを特徴とする、第１考案に記載の治療浴装置である。
【００１４】
本考案の第５考案は、貯蔵装置に液面センサーを設置することを特徴とする、第１考案に記載の治療浴装置である。
【００１５】
本考案の第６考案は、戻り管と気泡混合管との接続部の先端に一つのバルブを設けて、気泡混合管に流れ込む水の流量を制御することを特徴とする、第１考案に記載の治療浴装置である。
【考案の効果】
【００１６】
本考案は、上記した課題を解決するための手段により、次のような効果を得ることができる。
【００１７】
（１）大量な酸素を肌から体中に浸透させ、大量な酸素を全身の微血管と末端神経に送り込み、遊離基の中和を加速させることにより、体質を改善し、老化を防止することができる。
【００１８】
（２）水の繰り返し利用を可能にし節水と環境保護の役目を果たせる。
【考案を実施するための最良の形態】
【００１９】
審査の方々が本考案の構造により理解を深めるため、本考案は前述の目的を達成するために採用する技術手段とその効果について、実施例に基づき図面と併せて以下の通り詳細に説明する。
【実施例】
【００２０】
図１、２に示す通り、本考案は治療浴装置に関わるもので、一種の汎用治療浴装置である。この装置に容器１０を設け、本実施例においては浴槽（ただし、この類の技能を有する者は、他の部品によって取り代わることができる）を使用する。この容器１０に水を張り込んで、容器１０の高さ位置の低い方に進水管１１を取り付け、この進水管１１の他端は加圧装置２０に取り付ける。この加圧装置２０に密閉式の加圧シリンダー２１を設ける。この加圧シリンダー２１は加圧モータ２２に連結させ、動作するときに、この加圧シリンダー２１は加圧モータ２２の駆動により、流れ込む水の加圧を行う。
【００２１】
この加圧シリンダー２１と進水管１１と接続した向かい側に加圧管２３を設け、この加圧管２３の他端は貯蔵装置３０に取り付ける。本実施例においては、密閉式のシリンダー本体を使用する。この貯蔵装置３０に圧力ゲージ３１及び液面センサー３２をそれぞれに取り付ける。その中の圧力ゲージ３１は圧力を検出し、圧力値が設定値を超過して装置の危険を防止できる。液面センサー３２は貯蔵装置３０の水位を随時に検出し、液面が設定より低いときに、加圧装置２０を起動して、水を貯蔵装置３０に流入させる。
【００２２】
この貯蔵装置３０は、加圧管２３の位置よりやや高いところに戻り管３３を設ける。この戻り管３３のパイプ径は、加圧管２３管の径より小さい。さらに、この戻り管３３に空気導入口３４及び気泡混合管３５を設ける。空気導入口３４は戻り管３３と気泡混合管３５との接続端に設け、この気泡混合管３５の他端は進水管１１と接続する。さらに、この戻り管３３は空気導入口３４の前にバルブ３６を設けて、気泡混合管３５中に流れ込む水量を制御する。
【００２３】
さらに、この貯蔵装置３０に戻り管３３より高い位置に出水管３７を取り付けて、この出水管３７は容器１０と接続する。
【００２４】
操作するときには、図１、３に示す通り、容器１０の水は進水管１１を介して加圧シリンダー２１に流れ込み、加圧モータ２２の加圧効果により、加圧シリンダー２１に流れ込んだ水を加圧した上、加圧管２３により貯蔵装置３０に搬送させる。貯蔵装置３０に流れ込んだ水は、戻り管３３の取り付け位置は出水管３７より低いため、戻り管３３に流れ、水は戻り管３３に流入した後、空気は空気導入口３４から気泡混合管３５に流れ込み、戻り管３３を経由して気泡混合管３５に流れ込んだ水流とベンチュリー効果を引き起して、空気を水と十分に混合させた後、進水管１１を経由し、加圧装置２０に搬送される。そして、加圧装置２０によって再び加圧した後、ミルク形状のような気泡を形成し、水から滝より微細な水分子及びマイナスイオン酸素を分裂させ、加圧管２３より貯蔵装置３０に流れ込んで、貯蔵装置３０の水と混合した後、出水管３７を介して容器１０に流れ込む。利用者は使用するときに、ミルク形状の気泡は肌から体中に浸透させ、大量な酸素を全身の微血管と末端神経に送り込み、遊離基の中和を加速させることにより体質を改善し、老化を防止する。
【００２５】
このように、肌を腎臓の代謝機能を分担させることにより、毛細孔の垢を排出するほか、尿酸などの有毒物質を代謝できる。さらに、進水管１１と出水管３７とも同じの容器１０に接続しているため、水の繰り返し利用を可能にし節水と環境保護の役目を果たせる。
【００２６】
以上説明した通り、本考案の治療浴装置の全体構造は単純で、しかも丈夫であり、使用はとっても便利である。また、利用者の必要に応じて変更を加えて、機能を追加できる。
【図面の簡単な説明】
【００２７】
【図１】本考案実施例の立体概略図
【図２】本考案の立体概略図
【図３】本考案実施例の動作の概略立体図
【符号の説明】
【００２８】
１０・・容器
１１・・進水管
２０・・加圧装置
２１・・加圧シリンダー
２２・・加圧モータ
２３・・加圧管
３０・・貯蔵装置
３１・・圧力ゲージ
３２・・液面センサー
３３・・戻り管
３４・・空気導入口
３５・・気泡混合管
３６・・バルブ
３７・・出水管
【図１】
0003110480.tif 000003
【図２】
0003110480.tif 000004
【図３】
0003110480.tif 000005